(57)【要約】  スピーカ装置は、筐体と磁気回路とが対向配置され、その間に振動体が配置されている。振動体の外周部は筐体により支持されている。そして、支持部材は、振動体内部を通り、かつ、筐体から磁気回路に向かって延びている。磁気回路を支持する支持部材が振動体の内部を通っているので、振動体の外部から磁気回路を支持するフレームなどの部材を設ける必要がない。よって、振動体から発する音波の伝搬方向にフレームなどの障害物が存在しないので、無指向性を確保することができる。
2008059928.tif 000002
【特許請求の範囲】
【請求項１】
振動体と、前記振動体の外周部を支持する筐体と、前記筐体に対し対向するように配置される磁気回路と、を備え、
前記振動体は前記筐体と前記磁気回路との間に配置され、
前記振動体の内部を通り、且つ前記筐体から磁気回路に向かって延びる支持部材を備え、
前記支持部材は前記磁気回路を構成する部材を支持することを特徴とするスピーカ装置。
【請求項２】
前記磁気回路は磁石とヨークを備える外磁型磁気回路であって、
前記支持部材によって支持される前記部材はヨークであることを特徴とする請求項１に記載のスピーカ装置。
【請求項３】
前記磁気回路はヨーク、磁石及び前記磁石の下面側に配置されたプレートを備える内磁型磁気回路であって、
前記支持部材によって支持される前記部材はプレートであることを特徴とする請求項１に記載のスピーカ装置。
【請求項４】
前記磁気回路はヨーク、磁石及び前記磁石の下面側に配置されたプレートを備える外磁型磁気回路であって、
前記支持部材によって支持される前記部材はヨークであることを特徴とする請求項１に記載のスピーカ装置。
【請求項５】
前記筐体には外部へと通じる孔が形成されていることを特徴とする請求項１に記載のスピーカ装置。
【請求項６】
前記磁気回路を取り囲むように形成されたイコライザを備えることを特徴とする請求項１に記載のスピーカ装置。
【請求項７】
前記振動体は振動板と、エッジと、ボイスコイルボビンと、ダンパーと、を備え、
前記振動板の外周部が前記エッジを介して前記筐体に支持され、
前記振動板の内周部がボイスコイルボビンの外周に接続され、
前記ボイルコイルボビンの外周に前記ダンパーの内周部が接続され、
前記磁気回路を構成する部材に、前記ダンパーの外周部が接続されていることを特徴とする請求項１に記載のスピーカ装置。
【請求項８】
前記振動板と前記エッジとが一体成形されていることを特徴とする請求項７に記載のスピーカ装置。
【請求項９】
前記磁気回路はヨークと、磁石と、プレートと、前記プレートの下面側に配置されるダンパー支持部材と、を備える外磁型磁気回路であって、
前記ダンパーの外周部が接続される前記部材は、ダンパー支持部材であることを特徴とする請求項１に記載のスピーカ装置。
【請求項１０】
前記支持部材は複数配置されていることを特徴とする請求項１に記載のスピーカ装置。
【請求項１１】
前記振動体が有する振動板の周囲を囲むように、保護用ネット又は防護用部材が配置されることを特徴とする請求項１に記載のスピーカ装置。
【請求項１２】
前記磁石は希土類系磁性材料又はフェライトから構成されることを特徴とする請求項２又は３に記載のスピーカ装置。
【請求項１３】
前記ヨークの側面に対向する前記磁石の側面、または前記プレートの側面に対向するヨークの側面、もしくは前記ヨークの側面に対向する前記プレートの側面に金属部材が配置されていることを特徴とする請求項３又は４に記載のスピーカ装置。
【請求項１４】
前記イコライザは、底面部と、立ち上がり部と、を備え、
前記立ち上がり部の外径が前記筐体の外径と略等しく又は前記筐体の外径より小さく、
前記立ち上がり部の外周側面は、平板状又は曲面状に形成されていることを特徴とする請求項６に記載のスピーカ装置。
【請求項１５】
前記イコライザは、底面部と、立ち上がり部と、を備え、
前記立ち上がり部の外径が前記筐体の外径より小さく、且つ前記筐体の内径と略等しく又は前記筐体の内径より小さく、
前記立ち上がり部の外周側面は、曲面状に形成されていることを特徴とする請求項６に記載のスピーカ装置。
【請求項１６】
前記ボイスコイルボビンは、前記振動板の内周部から前記磁気回路へ向かって延びていることを特徴とする請求項７に記載のスピーカ装置。
【請求項１７】
前記磁気回路は、プレートと、磁石と、ヨークと、を備え、
前記ボイスコイルボビンの外周に、ボイスコイルが巻き回されており、
前記ボイスコイルボビンは、前記振動板の内周部から前記磁気回路へ向かって延びており、
前記磁気回路が備える前記プレート又は前記ヨークと、前記ボイスコイルとの間には、磁性流体が挿入されていることを特徴とする請求項７に記載のスピーカ装置。
【請求項１８】
前記支持部材にて支持される端子を備え、
前記端子は、前記振動体と前記筐体との間に設けられていることを特徴とする請求項１に記載のスピーカ装置。
【請求項１９】
前記支持部材にて支持される端子を備え、
前記端子は、前記振動体と前記筐体との間に設けられており、
前記ボイスコイルボビンは、前記端子と前記磁気回路との間に設けられていることを特徴とする請求項７に記載のスピーカ装置。
【発明の詳細な説明】
【技術分野】
【０００１】
本発明は、無指向性スピーカ装置に関する。
【背景技術】
【０００２】
既知のスピーカ装置として、特許文献１及び２には、内周部から外周部にかけて傾斜する円錐状の振動板と、その内周部から磁気回路に向かって延在するボイスコイルボビンとを備えるスピーカ装置が開示されている。【０００３】
上記のスピーカ装置には、以下のような問題がある。まず、振動板を囲むようなフレームを形成する必要があり、スピーカ装置が大型化してしまう。【０００４】
また、振動板から発せられる音波の伝播方向にフレームの一部が配置されているので、音波を指向性が生じさせることなく伝播させる場合に悪影響が生じる。即ち、発生する音波に指向性が生じる。また、音波がフレームの一部に伝播し、フレームそのものが振動して音波が発せられるため、音響特性を低下させてしまう。【０００５】
さらに、振動板の内周部から磁気回路に向かって延在するボイスコイルボビンが長く形成されているので、振動体そのものの重量が大きくなり、感度の低下を招く。【０００６】
【特許文献１】特開平６−１９７３９８号公報
【特許文献２】特開２００６−１０１２６６公報
【発明の開示】
【発明が解決しようとする課題】
【０００７】
本発明が解決しようとする課題としては、上記のようなものが例として挙げられる。本発明は、音響特性の良好な小型の無指向性スピーカ装置を提供することを課題とする。
【課題を解決するための手段】
【０００８】
請求項１に記載の発明は、スピーカ装置であって、振動体と、前記振動体の外周部を支持する筐体と、前記筐体に対し対向するように配置される磁気回路と、を備え、前記振動体は前記筐体と前記磁気回路との間に配置され、前記振動体の内部を通り、且つ前記筐体から磁気回路に向かって延びる支持部材を備え、前記支持部材は前記磁気回路を構成する部材を支持することを特徴とする。
【図面の簡単な説明】
【０００９】
【図１】本発明の第１実施例に係るスピーカ装置の断面図である。
【図２】第１実施例の変形例に係るスピーカ装置の断面図である。
【図３】本発明の第２実施例に係るスピーカ装置の断面図である。
【図４】本発明の第３実施例に係るスピーカ装置の断面図である。
【図５】本発明の第４実施例に係るスピーカ装置の断面図である。
【図６】本発明の第５実施例に係るスピーカ装置の断面図である。
【図７】変形例に係るスピーカ装置の断面図である。
【図８】他の変形例に係るスピーカ装置の断面図である。
【図９】他の変形例に係るスピーカ装置の断面図である。
【図１０】他の変形例に係るスピーカ装置の断面図である。
【図１１】防護部材を有するスピーカ装置と防護部材を有しないスピーカ装置の音響特性を示すグラフである。
【図１２】イコイラザの形状に伴う各スピーカ装置の音響特性を示すグラフである。
【符号の説明】
【００１０】
１、１ａ、１ｂ、１ｃ、１ｄ、１ｅ、１ｆ、１ｇ、１ｈ  スピーカ装置
１０、１０ｂ、１０ｃ、１０ｄ、１０ｅ  磁気回路
２０  振動体
２１  ボイスコイルボビン
２２  ボイスコイル
２３  振動板
２４  エッジ
２５  ダンパー
３１  筐体
４０、４０ｘ、４０ｙ、４０ｚ  イコライザ
【発明を実施するための最良の形態】
【００１１】
本発明の好適な実施形態では、スピーカ装置は、振動体と、前記振動体の外周部を支持する筐体と、前記筐体に対し対向するように配置される磁気回路と、を備え、前記振動体は前記筐体と前記磁気回路との間に配置され、前記振動体の内部を通り、且つ前記筐体から磁気回路に向かって延びる支持部材を備え、前記支持部材は前記磁気回路を構成する部材を支持する。【００１２】
上記のスピーカ装置では、筐体と磁気回路とが対向配置され、その間に振動体が配置されている。振動体の外周部は筐体により支持されている。そして、支持部材は、振動体内部を通り、かつ、筐体から磁気回路に向かって延びている。【００１３】
この構成によれば、磁気回路を支持する支持部材が振動体の内部を通っているので、振動体の外部から磁気回路を支持するフレームなどの部材を設ける必要がない。よって、振動体から発する音波の伝搬方向にフレームなどの障害物が存在しないので、無指向性を確保することができる。【００１４】
上記のスピーカ装置の一態様では、前記磁気回路は磁石とヨークを備える外磁型磁気回路であって、前記支持部材によって支持される前記部材はヨークである。この態様では、磁気回路は磁石及びヨークを備える外磁型磁気回路として構成され、支持部材はその磁気回路の構成要素のうち、ヨークを支持するように構成される。【００１５】
上記のスピーカ装置の他の一態様では、前記磁気回路はヨーク、磁石及び前記磁石の下面側に配置されたプレートを備える内磁型磁気回路であって、前記支持部材によって支持される前記部材はプレートである。この態様では、磁気回路はヨーク、磁石及び前記磁石の下面側に配置されたプレートを備える内磁型磁気回路として構成され、支持部材はその磁気回路の構成要素のうち、プレートを支持するように構成される。【００１６】
上記のスピーカ装置の他の一態様では、前記磁気回路はヨーク、磁石、及び、前記磁石の下面側に配置されたプレートを備える外磁型磁気回路であって、前記支持部材によって支持される前記部材はヨークである。この態様では、磁気回路は磁石、ヨークと、前記ヨークから前記筐体に向かって延在するプレートを備える外磁型磁気回路として構成される。また、支持部材は、その磁気回路の構成要素のうち、プレート（前記ヨークから前記筐体に向かって延在する）を支持するように構成される。【００１７】
上記のスピーカ装置の他の一態様では、前記筐体には外部へと通じる孔が形成されている。この孔は、スピーカ内部の空気をスピーカ装置の外部の空気と入れ替える通気孔としての役割を有し、これにより、振動体内部、磁気回路内部の温度上昇を抑制することができる。また、この孔は、振動体内部の空気圧を調整する役割も有する。また、前記筐体がキャビネットとして機能するバスレス型スピーカ装置の場合、前記孔を前記筐体が有することで低音域を拡大することができる（低音限界周波数を小さくできる）。【００１８】
上記のスピーカ装置の好適な実施例は、前記磁気回路を取り囲むように形成されたイコライザを備えることができる。【００１９】
上記のスピーカ装置の他の好適な実施例では、前記振動体は振動板とボイスコイルボビンとダンパーを備え、前記振動板の外周部が前記筐体に支持され、前記振動板の内周部がボイスコイルボビンの外周に接続され、前記ボイルコイルボビンの外周に前記ダンパーの内周部が接続され、前記磁気回路を構成する部材に、前記ダンパーの外周部が接続されている。【００２０】
上記のスピーカ装置の他の好適な例では、前記磁気回路はヨークと、磁石と、プレートと、前記プレートの下面側に配置されるダンパー支持部材とを備える外磁型磁気回路であって、前記ダンパーの外周部が接続される前記部材は、ダンパー支持部材とされる。【００２１】
上記のスピーカ装置の好適な実施例では、前記振動板と前記エッジが一体形成される。【００２２】
上記のスピーカ装置の他の一態様では、前記支持部材を複数配置することができる。例えば、ボルトなどの第１の支持部材と、第１の支持部材を挿入する円筒状の第２の支持部材とにより構成してもよい。【００２３】
上記のスピーカ装置の他の一態様では、前記振動体が有する振動板の周囲を囲むように、保護用ネットを配置し、振動板を保護してもよい。また、前記磁石を希土類系磁性材料やフェライト（酸化鉄を主成分とするセラミックス）から構成してもよい。【００２４】
上記のスピーカ装置の他の一態様では、前記ヨークの側面に対向する前記磁石の側面に、または前記プレートの側面に対向するヨークの側面に金属部材を配置することができる。これにより、ボイスコイルのインダクタンス（誘導係数ともいう）が大きくなることを抑止でき、スピーカ装置の感度を向上させることができる。【００２５】
上記のスピーカ装置の他の好適な例では、前記イコライザは、底面部と、立ち上がり部と、を備え、前記立ち上がり部の外径が前記筐体の外径と略等しく又は前記筐体の外径より小さく、前記立ち上がり部の外周側面は、平板状又は曲面状に形成されている。【００２６】
上記のスピーカ装置の他の好適な例では、前記イコライザは、底面部と、立ち上がり部と、を備え、前記立ち上がり部の外径が前記筐体の外径より小さく、且つ前記筐体の内径と略等しく又は前記筐体の内径より小さく、前記立ち上がり部の外周側面は、曲面状に形成されている。【００２７】
上記のスピーカ装置の他の好適な例では、前記ボイスコイルボビンは、前記振動板の内周部から前記磁気回路へ向かって延びている。【００２８】
このように、ボイスコイルボビンを振動板の内周部から磁気回路へ向かわせることで、ボイスコイルボビンの長さを比較的小さくでき、即ちボイスコイルボビンを軽くすること、振動体全体の重量を小さくすることが可能となる。【００２９】
また、ボイスコイルボビンの長さを比較的小さくすることで、ボイスコイルの振動が振動板により伝わりやすくなり、特に高域の再生帯域を拡大することが可能となる。【００３０】
上記のスピーカ装置の他の好適な例では、前記磁気回路は、プレートと、磁石と、ヨークと、を備え、前記ボイスコイルボビンは、前記振動板の内周部から前記磁気回路へ向かって延びており、前記磁気回路が備える前記プレート又は前記ヨークと、前記ボイスコイルとの間には、磁性流体が挿入されている。このように、磁性流体を用いることで、振動体を振動している間に磁気回路を構成する磁石やプレート又はヨーク等に接触し異音等が発生することを抑止することが可能となる。【００３１】
上記のスピーカ装置の他の好適な例では、前記支持部材にて支持される端子を備え、前記端子は、前記振動体と前記筐体との間に設けられている。【００３２】
上記のスピーカ装置の他の好適な例では、前記支持部材にて支持される端子を備え、
前記端子は、前記振動体と前記筐体との間に設けられており、前記ボイスコイルボビンは、前記端子と前記磁気回路との間に設けられている。このように、ボイスコイルボビンを端子と磁気回路との間に配置することで、ボイスコイルの振動に伴い、ボイスコイルボビンが振動しても、端子に接触すること、端子に接触することで異音が生じることを抑止することが可能となる。さらに、ボイスコイルボビンの長さを比較的小さくすることで、即ちボイスコイルボビンを軽くすること、振動体全体の重量を小さくすることが可能となる。また、ボイスコイルボビンの長さを比較的小さくすることで、ボイスコイルの振動が振動板により伝わりやすくなり、特に高域の再生帯域を拡大することが可能となる。
【実施例】
【００３３】
以下、図面を参照して本発明の好適な実施例について説明する。【００３４】
［第１実施例］
図１は、本発明の第１実施例に係るスピーカ装置の断面図である。図１において、スピーカ装置１は、大別して、磁気回路１０と、振動体２０と、筐体３１と、イコライザ４０とを備える。【００３５】
筐体３１は、略鍋型の形状を有し、スピーカ装置１の土台としての機能を有する。筐体３１の底面外部には凹部３１ｃが設けられており、凹部３１ｃの略中央には、穴３１ｄが形成されている。穴３１ｄには、支持部材３５を構成する第１の支持部材３５ａが挿入されている。第１の支持部材は例えばボルトとすることができ、そのボルトの頂部は凹部３１ｃ内に収容される。【００３６】
第１の支持部材３５ａは、支持部材３５を構成する略円筒状の第２の支持部材３５ｂの内部に挿入される。支持部材３５は、磁気回路１０を支持する役割を有する。具体的には、支持部材３５は、筐体３１と磁気回路１０との間に配置され、それらを相互に対向するように支持する。【００３７】
筐体３１には、凹部３１ｃが形成されている範囲に、周方向に沿って複数の孔３１ｂが設けられている。孔３１ｂは、スピーカ装置内部、即ち、振動体２０及び筐体３１により形成されるスピーカ装置１の内部空間と、筐体３１の外部との間で空気を交換することにより、振動体内部及び磁気回路内部の温度上昇を抑制する通気孔としての機能を有する。加えて、孔３１ｂは、振動体内部の空気圧が上昇し、振動体２０を適切に制御できなくなることを防止するための空気圧調整機能も有する。また、前記筐体がキャビネットとして機能するバスレス型スピーカ装置の場合、前記孔を前記筐体が有することで低音域を拡大することができる（低音限界周波数を小さくできる）。【００３８】
振動体２０は、ボイスコイルボビン２１と、ボイスコイル２２と、振動板２３と、エッジ２４と、ダンパー２５とにより構成される。円錐形状の振動板２３は筐体３１を覆うように配置される。振動板２３の外周端（外周部）にはエッジ２４が取り付けられており、エッジ２４の外周端は、筐体３１の環状の上端面に設けられたエッジ支持部３１ａにおいて筐体３１により支持されている。振動板２３の内周端（内周部）は、円筒形状のボイスコイルボビン２１の外周壁に取り付けられている。ボイスコイルボビン２１の上端部（即ち、磁気回路側の端部）の外周壁には、ボイスコイル２２が設けられている。【００３９】
支持部材３５の上部、即ち筐体３１と反対側の端部には、磁気回路１０が設けられている。具体的には、磁気回路１０はイコライザ４０の凹部内に収容されている。即ち、磁気回路１０はイコライザ４０により取り囲まれている。磁気回路１０は、ヨーク１１と、環状のマグネット１２と、環状のプレート１３とを備えた外磁型磁気回路である。ヨーク１１は、略円筒状の本体部１１ａと、本体部１１ａの上端から外周方向へ延在するフランジ部１１ｂとを備える。ヨーク１１は、支持部材３５によって支持されている。具体的には、ヨーク１１が第２の支持部材３５ｂ上に配置された状態で、第１の支持部材３５ａがヨーク１１の中央の孔に挿入されている。【００４０】
プレート１３の下面には略環状のダンパー支持部材１４が設けられ、ダンパー支持部材１４の下面には環状のダンパー２５が設けられている。ダンパー支持部材１４はイコライザ４０の凹部の内壁に取り付けられているので、ダンパー２５はイコライザ４０に固定された状態で、ボイスコイルボビン２１を移動可能に支持している。ダンパー２５は、ヨーク１１とプレート１３との間に形成された磁気ギャップ内にボイスコイル２２が配置されるように、ボイスコイルボビン２１に取り付けられている。【００４１】
環状のマグネット１２は、ヨーク１１のフランジ部１１ｂの下面に取り付けられ、好ましくは希土類磁石とすることができる。プレート１３はマグネット１２の下面に取り付けられる。これにより、ヨーク１１、即ち略円筒状の本体部１１ａの外周壁と、プレート１３の内周壁との間に磁気ギャップが形成される。【００４２】
第２の支持部材３５ｂには、その外周方向の２カ所に端子２７が設けられており、ボイスコイルボビン２１上に巻き付けられたボイスコイル２２の端部は、錦糸線２６を介して端子２７と接続されている。【００４３】
こうして、振動体２０は、その内周端がボイスコイルボビン２１に固定されるとともに、その外周端が筐体３１の上端面のエッジ支持部３１ａに固定され、ダンパー２５により図中上下方向（矢印Ｙ方向）に移動可能となっている。ヨーク１１とプレート１３との間に構成されている磁気ギャップ内に配置されているボイスコイル２２に、端子２７及び錦糸線２６を通じて入力信号が供給されると、振動体２０に矢印Ｙ方向への振動が生じ、入力信号に応じた音波が出力される。【００４４】
以上のように構成されたスピーカ装置１では、振動体２０が筐体３１と磁気回路１０との間に配置され、かつ、振動体２０の内部を通る支持部材３５が筐体と磁気回路１０とを対向位置に支持している。よって、振動板の上方に位置する磁気回路を、振動板を取り囲むように配置されたフレームなどにより支持する構成を採用するスピーカ装置と比較した場合、振動体２０が発生する音波の伝搬方向にフレームなどの障害物が存在しないので、音波によりフレーム自身が振動して不要な音が発生して音響特性が低下したり、フレームが音波の伝搬に対する障害物となって指向性を生じさせたりすることなく、全方位に向けて音波を発することができる。また、振動板２３の外周部を囲むようにフレームを配置する必要がないので、スピーカ装置全体を小型化することができる。【００４５】
また、磁気回路１０と、振動板２３の内周端とが近いので、振動体２０の振動方向’矢印Ｙ方向）におけるボイスコイルボビン２１の長さを短くすることができる。これにより、振動体２０の重量を減らし、感度を向上させることができる。【００４６】
また、振動板２３の半頂角を小さくできるので、高域共振周波数を大きくすることができ、高周波数領域での音響特性を向上させることができる。なお、「振動板の半頂角」とは、振動板の軸方向と、振動板の傾斜面とのなす角を指す。【００４７】
（第１実施例の変形例）
図２に第１実施例の変形例に係るスピーカ装置の断面図を示す。このスピーカ装置１ａでは、ヨーク１１の外周壁と対向するマグネット１２の内周壁に金属部材５８を設ける。また、その代わりに、又は、それに加えて、プレート１３の内周壁に対向するヨーク１１の外周壁に金属部材５９を設ける。さらに、その代わりに、又は、それに加えて、プレート１３の内周壁に金属部材５７を設ける。金属部材５７、５８及び５９は、例えば銅製のリング状部材とすることができる。この金属部材５７、５８、５９を設けることにより、高音域での音響特性を向上させることができる。【００４８】
［第２実施例］
図３は、第２実施例に係るスピーカ装置の構成を示す。図３に示すスピーカ装置１ｂは、ヨーク１１から振動板２３の内部に向かって延在する環状のプレート１７を備える点で、第１実施例に係るスピーカ装置１及び１ａと異なる。即ち、第２実施例のスピーカ装置１ｂは、マグネット１２の下面に取り付けられたプレート１３に加え、ヨーク１１の下側において第２の支持部材３５ｂを取り囲む環状のプレート１７を備える。これにより、磁気ギャップ内での磁束の分布を均一にすることができ、磁束分布の不均一による歪みを低下させることができる。【００４９】
［第３実施例］
図４（Ａ）及び（Ｂ）は、第３実施例に係るスピーカ装置の構成を示す。第１及び第２実施例に係るスピーカ装置１、１ａ及び１ｂでは、磁気回路１０は外磁型磁気回路として構成されている。これに対し、第３実施例に係るスピーカ装置１ｃ１及び１ｃ２は、それぞれ磁気回路１０ｃが内磁型磁気回路として構成される。具体的には、図４（Ａ）又は（Ｂ）に示すように、磁気回路１０ｃは、円盤状のヨーク１１ｃと、ヨーク１１ｃの下面側に配置された環状のマグネット１２ｃと、その下面側に配置された環状のプレート１３ｃとにより構成される。なお、これ以外の構成は、第１及び第２実施例と同様である。【００５０】
［第４実施例］
図５は、第４実施例に係るスピーカ装置の構成を示す。第１及び第２実施例に係るスピーカ装置１、１ａ及び１ｂでは、磁気回路１０は外磁型磁気回路として構成されている。これに対し、第４実施例に係るスピーカ装置１ｄは、磁気回路１０ｄが内磁型磁気回路として構成される。具体的には、図５に示すように、磁気回路１０ｄは、ヨーク１１ｄと、環状のマグネット１２ｄと、その下面側に配置された環状のプレート１３ｄとにより構成される。なお、これ以外の構成は、第１及び第２実施例と同様である。【００５１】
［第５実施例］
図６は、第５実施例に係るスピーカ装置の構成を示す。第１及び第２実施例に係るスピーカ装置１、１ａ及び１ｂでは、磁気回路１０は外磁型磁気回路として構成されている。これに対し、第５実施例に係るスピーカ装置１ｅは、磁気回路１０ｅが内磁型磁気回路として構成される。具体的には、図６に示すように、磁気回路１０ｅは、ヨーク１１ｅと、環状のマグネット１２ｅと、その下面側に配置された環状のプレート１３ｅとにより構成される。なお、これ以外の構成は、第１及び第２実施例と同様である。【００５２】
［変形例］
上記の各実施例のスピーカ装置において、振動板２３の周囲を取り囲むように、保護用ネット、円筒状の保護ガード又は防護部材などを設けて、振動板を保護することとしてもよい。【００５３】
図７（Ａ）は、保護用ネット５１を取り付けた状態を示す断面図である。保護用ネット５１は、イコライザ４０と筐体３１との間の空間を覆うようにスピーカ装置１に取り付けられる。なお、保護用ネット及び円筒状の保護ガードは、その周方向に一様に形成されているので、保護用ネットや円筒状の保護ガードを振動板の周囲に配置しても、音波に指向性が生じさせることなく伝播させることができる。【００５４】
図７（Ｂ）は、防護部材５２を取り付けた状態を示す断面図である。防護部材５２の各々は棒状の部材であり、複数の防護部材５２が周方向に等間隔で取り付けられる。このように、防護部材５２を周方向に等間隔で設けることにより、音波に指向性を生じさせることなく伝播させることが可能である。【００５５】
また、上記の各実施例のスピーカ装置１、１ａ、１ｂ、１ｃ１、１ｃ２、１ｄ、１ｅ（以下、代表して「スピーカ装置１ｖ」と呼称する）において、イコライザ４０は、図１〜図７に示されるように、板状の底面部４０ａと、底面部４０ａの外周部から立ち上がる立ち上がり部４０ｂと、を備えており、本例では、立ち上がり部４０ｂにおける外周側面の形状を変えても構わない。例えば、図８〜図１０に示されるような、イコライザの形状が挙げられる。上記の各実施例のスピーカ装置１ｖが備えるイコライザ４０では、その外径ｄ１が筐体３１の外径ｄ２よりも小さく、筐体３１の内径と略等しい形状を有している。さらに、イコライザ４０の立ち上がり部４０ｂの外周側面が曲面状である。これに対し、図８に示すスピーカ装置１ｆが備えるイコライザ４０ｘの形状は、その外径ｄ３が筐体３１の内径ｄ１よりも小さい形状を有している。またイコライザ４０ｘの立ち上がり部４０ｂの外周側面が、平板状である。図９に示すスピーカ装置１ｇが備えるイコライザ４０ｙの形状は、その外径ｄ３が筐体３１の内径ｄ１よりも小さい形状を有する。またイコライザ４０ｙの立ち上がり部４０ｂの外周側面が、曲面状である。図１０に示されるスピーカ装置１ｈのイコライザ４０ｚは、その外径ｄ２が筐体３１の外径と略等しい形状を有する。さらにイコライザ４０ｚの立ち上がり部４０ｂの外周側面が、曲面状である。【００５６】
[実験結果]
図１〜図７に示されるスピーカ装置１ｖにおいて、防護部材５２を取り付けていないスピーカ装置と、防護部材５２を取り付けたスピーカ装置とを、音響特性の点にて比較した実験結果を図１１に示す。図１１において、縦軸は音圧（ｄＢ）を、また、横軸は周波数（Ｈｚ）を夫々示す。また、図１１において、実線で示すグラフｇ１は、防護部材５２を取り付けたスピーカ装置１ｖの音響特性を示し、また、破線で示すグラフｇ２は、防護部材５２を取り付けていないスピーカ装置１ｖの音響特性を示す。図１１に示されるように、防護部材５２を取り付けたスピーカ装置１ｖの音響特性と、防護部材５２を取り付けていないスピーカ装置１ｖの音響特性とは略同様であり、防護部材５２を取り付けても、例えば防護部材５２が共振等して音波を発する等の悪影響が発生することを抑止できていることが確認された。【００５７】
また、筐体３１に設けられる防護部材５２が磁気回路１０又はイコライザ４０に向かって延びて支持されている場合、例えば、下記のような問題点がある。ボイスコイル２２が振動する時、例えば、ボイスコイル２２が音響放射方向へ向かって振動すると、磁気回路１０は磁気的な反発力を受けて、音響放射方向とは逆側に振動する。この振動が防護部材５２に伝わって共振等が発生し、防護部材５２が音波を発生する。また、ボイスコイル２２が振動する時、ダンパー２５が振動板２３の振動に追従して振動するので、ダンパー２５の振動が防護部材５２に伝わって共振等が発生し、防護部材５２が音波を発生する。また、ボイスコイル２２が振動する時、振動板２３が振動することで、振動板２３の背面（音響放射方向とは逆側の面）から筐体３１に向かって空気圧が筐体３１に作用し、筐体３１が振動する。このため、筐体３１の振動が防護部材５２に伝わって共振等が発生し、防護部材５２が音波を発生する。ところで、筐体３１に設けられる防護部材５２を、図７（Ｂ）に示されるような形状にしている。このような形状にすることで、磁気回路１０、ダンパー２５や筐体３１の振動によって共振等の発生を抑えることができ、防護部材５２が音波を発生することを抑えることができることが、図１１に示されている。また、防護部材５２の幅を、所定の周波数に対応する波長よりも小さくすることで、振動板２３から発せられる音波により共振等することを抑止し、防護部材５２が音波を発生することを抑止している。例えば、所定の周波数を約４０ｋＨｚとすると、波長が約3.5ｍｍであり、この波長よりも防護部材５２の幅を小さくしている。【００５８】
次に、図１２には、図１、及び図８〜図１０に示されるイコライザ４０及び４０ｘ〜４０ｚの形状に伴うスピーカ装置の音響特性が示されている。図１２において、縦軸は音圧（ｄＢ）を、また、横軸は周波数（Ｈｚ）を夫々示す。また、図１２において、実線にて示すグラフｇ１１は、図１に示すイコライザ４０を有するスピーカ装置１の音響特性を、また、一点鎖線にて示すグラフｇ１２は、図８に示すイコライザ４０ｘを有するスピーカ装置１ｆの音響特性を、また、二点鎖線にて示すグラフｇ１３は、図９に示すイコライザ４０ｙを有するスピーカ装置１ｇの音響特性を、また、破線にて示すグラフｇ１４は、図１０に示すイコライザ４０ｚを有するスピーカ装置１ｈの音響特性を夫々示す。図１２に示されるイコライザ４０及び４０ｘ〜４０ｚの中で、特に図１に示されるイコライザ４０の形状が、図８〜図１０に示されるイコライザ４０ｘ〜４０ｚの各形状と比べて低音域から高音域にかけて、ピーク・ディップが比較的小さい点で、好ましい。【００５９】
また、上記の各スピーカ装置において、磁気ギャップ内に磁性流体を配置させても構わない。磁性流体を用いることで、振動体２０の軽量化を図る際、振動体２０を振動している間に磁気回路を構成する磁石やプレート又はヨーク等に接触し異音等が発生することを抑止することが可能となる。【００６０】
また、上記の各スピーカ装置において、ボイスコイルボビン２１を振動板２３の内周部から磁気回路１０へ向かわせて、ボイスコイルボビン２１の長さを比較的小さくしても構わない。このようなボイスコイルボビン２１を用いることで、ボイスコイルボビン２１を軽くすること、振動体２０全体の重量を小さくすることが可能となる。また、ボイスコイルボビン２１の長さを比較的小さくすることで、ボイスコイル２２の振動が振動板２３により伝わりやすくなり、特に高域の再生帯域を拡大することが可能となる。【００６１】
また、上記の各スピーカ装置において、前記支持部材３５にて支持される端子２７を、前記振動体２０と前記筐体３１との間に設け、前記ボイスコイルボビン２１は、端子２７と前記磁気回路１０との間に設けられても構わない。このように、ボイスコイルボビン２１を端子２７と磁気回路１０との間に配置することで、ボイスコイル２２の振動に伴い、ボイスコイルボビン２１が振動しても、端子２７に接触すること、端子２７に接触することで異音が生じることを抑止することが可能となる。さらに、ボイスコイルボビン２１の長さを比較的小さくすることで、即ちボイスコイルボビン２１を軽くすること、振動体２０全体の重量を小さくすることが可能となる。また、ボイスコイルボビン２１の長さを比較的小さくすることで、ボイスコイル２２の振動が振動板２３により伝わりやすくなり、特に高域の再生帯域を拡大することが可能となる。
【産業上の利用可能性】
【００６２】
本発明は、電子機器などに用いられる小型のスピーカ装置に利用することができる。
【図１】
2008059928.tif 000003
【図２】
2008059928.tif 000004
【図３】
2008059928.tif 000005
【図４】
2008059928.tif 000006
【図５】
2008059928.tif 000007
【図６】
2008059928.tif 000008
【図７】
2008059928.tif 000009
【図８】
2008059928.tif 000010
【図９】
2008059928.tif 000011
【図１０】
2008059928.tif 000012
【図１１】
2008059928.tif 000013
【図１２】
2008059928.tif 000014
【手続補正書】
【提出日】平成21年5月8日(2009.5.8)
【手続補正１】
【補正対象書類名】特許請求の範囲
【補正対象項目名】全文
【補正方法】変更
【補正の内容】
【特許請求の範囲】
【請求項１】
振動体と、前記振動体の外周部を支持する筐体と、前記筐体に対し対向するように配置される磁気回路と、を備え、
前記振動体は前記筐体と前記磁気回路との間に配置され、
前記振動体の内部を通り、且つ前記筐体から磁気回路に向かって延びる支持部材を備え、
前記支持部材は前記磁気回路を構成する部材を支持することを特徴とするスピーカ装置。
【請求項２】
前記筐体には外部へと通じる孔が形成されていることを特徴とする請求項１に記載のスピーカ装置。
【請求項３】
前記磁気回路を取り囲むように形成されたイコライザを備えることを特徴とする請求項１に記載のスピーカ装置。
【請求項４】
前記振動体は振動板と、エッジと、ボイスコイルボビンと、ダンパーと、を備え、
前記振動板の外周部が前記エッジを介して前記筐体に支持され、
前記振動板の内周部がボイスコイルボビンの外周に接続され、
前記ボイルコイルボビンの外周に前記ダンパーの内周部が接続され、
前記磁気回路を構成する部材に、前記ダンパーの外周部が接続されていることを特徴とする請求項１に記載のスピーカ装置。
【請求項５】
前記振動板と前記エッジとが一体成形されていることを特徴とする請求項４に記載のスピーカ装置。
【請求項６】
前記磁気回路はヨークと、磁石と、プレートと、前記プレートの下面側に配置されるダンパー支持部材と、を備える外磁型磁気回路であって、
前記ダンパーの外周部が接続される前記部材は、ダンパー支持部材であること      を特徴とする請求項１に記載のスピーカ装置。
【請求項７】
前記振動体が有する振動板の周囲を囲むように、保護用ネット又は防護用部材が配置されることを特徴とする請求項１に記載のスピーカ装置。
【請求項８】
前記ヨークの側面に対向する前記磁石の側面、または前記プレートの側面に対向するヨークの側面、もしくは前記ヨークの側面に対向する前記プレートの側面に金属部材が配置されていることを特徴とする請求項６に記載のスピーカ装置。
【請求項９】
前記イコライザは、底面部と、立ち上がり部と、を備え、
前記立ち上がり部の外径が前記筐体の外径と略等しく又は前記筐体の外径より小さく、
前記立ち上がり部の外周側面は、平板状又は曲面状に形成されていることを特徴とする請求項３に記載のスピーカ装置。
【請求項１０】
前記イコライザは、底面部と、立ち上がり部と、を備え、
前記立ち上がり部の外径が前記筐体の外径より小さく、且つ前記筐体の内径と略等しく又は前記筐体の内径より小さく、
前記立ち上がり部の外周側面は、曲面状に形成されていることを特徴とする請求項３に記載のスピーカ装置。
【請求項１１】
前記ボイスコイルボビンは、前記振動板の内周部から前記磁気回路へ向かって延びていることを特徴とする請求項４に記載のスピーカ装置。
【請求項１２】
前記支持部材にて支持される端子を備え、
前記端子は、前記振動体と前記筐体との間に設けられていることを特徴とする請求項１に記載のスピーカ装置。
【請求項１３】
前記支持部材にて支持される端子を備え、
前記端子は、前記振動体と前記筐体との間に設けられており、
前記ボイスコイルボビンは、前記端子と前記磁気回路との間に設けられていることを特徴とする請求項４に記載のスピーカ装置。
【請求項１４】
前記筐体は、前記支持部材の一端が支持される底面部と、前記底面部を取り囲む外周側部とを備え、
前記筐体の外周側部は、前記振動体が有する振動板の外周部を支持することを特徴とする請求項１に記載のスピーカ装置。
【請求項１５】
前記筐体は、前記支持部材の一端が支持される底面部と、前記底面部を取り囲む外周側部とを備え、
前記筐体の外周側部は、前記振動体が有する振動板の外周部近傍まで延在することを特徴とする請求項１に記載のスピーカ装置。
【請求項１６】
前記振動体は、振動板と、ボイスコイルを支持するボイスコイルボビンとを少なくとも備え、
前記ボイスコイルボビンは、前記ボイスコイルが支持される一方の端部と、前記振動板の内周部近傍に設けられる他方の端部とを備えることを特徴とする請求項１４に記載のスピーカ装置。
【請求項１７】
前記磁気回路は、プレートと、磁石と、ヨークとを備え、
前記プレートと前記ヨークとの間にて形成される磁気ギャップ内に、前記ボイスコイルボビンの一方の端部が配置されており、
前記磁気回路が備える前記プレート又は前記ヨークと、前記ボイスコイルとの間には、磁性流体が挿入されていることを特徴とする請求項１６に記載のスピーカ装置。
【請求項１８】
前記支持部材は、前記磁気回路を構成する部材に、その一部が挿入されていることを特徴とする請求項１６に記載のスピーカ装置。
【請求項１９】
前記磁気回路はヨークを少なくとも備え、
複数の前記支持部材のうち、一方の前記支持部材はその一部が前記ヨークに挿入されており、
前記他方の支持部材は、前記ヨークの前記筐体側の側面を支持していることを特徴とする請求項１６に記載のスピーカ装置。
【請求項２０】
前記磁気回路はヨーク、磁石、プレートを備え、
複数の前記支持部材のうち、一方の前記支持部材はその一部が前記ヨークに挿入されており、
前記他方の支持部材は、前記磁石又はプレートの前記筐体側の側面を支持していることを特徴とする請求項１６に記載のスピーカ装置。
【請求項２１】
複数の前記支持部材を備え、
前記複数の支持部材のうち、一方の前記支持部材は、他方の前記支持部材を取り囲む筒状の形状を有することを特徴とする請求項１に記載のスピーカ装置。
【請求項２２】
請求項１に記載のスピーカ装置を備えることを特徴とする電子機器。
【国際調査報告】
2008059928.tif 000015
2008059928.tif 000016
2008059928.tif 000017
2008059928.tif 000018